(57)【特許請求の範囲】
【請求項１】
ネットワークとのインタフェースとなる複数の回線インタフェースと、該回線インタフェースを介して入力されたパケットのスイッチングを行うＬ２またはＬ３スイッチと、該スイッチを介して入力されたパケットのメディア変換を行うメディア変換部とを備え、
前記メディア変換部が、それぞれがメディア変換を行う複数のメディアゲートウェイカードで構成され、
前記複数のメディアゲートウェイカードのそれぞれが、ＢＬＥＳまたはＨ．３２３サービス用のＶｏｉｃｅ  ｏｖｅｒ  ＡＴＭまたはＩＰ  ｏｖｅｒ  ＡＴＭのプロトコルスタックのＡＴＭセルをＩＰパケット化したものを、ＩＰ網へ収容するためにメディア変換を行うことを特徴とするメディアゲートウェイ装置。
【請求項２】
ＭＧＣ機能をさらに有することを特徴とする請求項１に記載のメディアゲートウェイ装置。
【発明の詳細な説明】
【０００１】
【発明の属する技術分野】
本発明は、メディアゲートウェイ装置に関する。
【０００２】
【従来の技術】
従来から、マルチメディア通信におけるメディア変換を含むプロトコル変換を行うメディアゲートウェイ装置が知られている。
【０００３】
ここで、従来のメディアゲートウェイ装置について図面を参照して説明する。
【０００４】
図５は、特開平１１−３３１２７１号公報に開示された従来のメディアゲートウェイ装置を示すブロック図である。
【０００５】
図５に示すインターネット電話ゲートウェイ装置１１は、ＰＳＴＮ（一般公衆電話網）やＩＳＤＮの電話回線１とのインタフェースである網インタフェース部２と、網からの呼の発着信を制御するためのレイヤ３制御部３と、各種データ情報を分離するデータ識別部４と、着信番号を検出し相手側の番号を導き出す処理を行う着番号処理部５と、このシステムに契約されている複数のダイヤルイン番号の一覧が格納されている着番号データ部６と、インターネット網１０とのインタフェースであるインターネットインタフェース部７と、利用者本人からの電話接続であるかを決定する認証処理部８と、相手番号を検出し格納する相手番号処理部９とから構成される。
【０００６】
【発明が解決しようとする課題】
すなわち、従来のメディアゲートウェイ装置は、ＮＮＩ−ＲＡＳやＨ．３２３としてＶｏＩＰ（Ｖｏｉｃｅ  ｏｖｅｒ  ＩＰ）を収容する方式であり、このようなトラヒック種類にしか対応できないものであった。
【０００７】
本発明は上記の点にかんがみてなされたもので、ＮＮＩ−ＲＡＳやＨ．３２３サービス以外にも対応することが可能なメディアゲートウェイ装置を提供することを目的とする。
【０００８】
【課題を解決するための手段】
本発明は上記目的を達成するために、その先に電話（インターネット電話）が接続されているＢＬＥＳ（Ｂｒｏａｄｂａｎｄ  Ｌｏｏｐ  ＥｍｕｌａｔｉｏｎＳｅｒｖｉｃｅ）やＨ．３２３サービス用にＶｏｉｃｅ  ｏｖｅｒ  ＡＴＭやＩＰＯＡ（Ｉｎｔｅｒｎｅｔ  Ｐｒｏｔｏｃｏｌ  Ｏｖｅｒ  ＡＴＭ）などのプロトコルスタックで転送されてくるトラヒックをＩＰ網へ収容するために本発明のメディアゲートウェイ装置でメディア変換を行ない、ＣＡ（コールエージェント）でＩＰ網で接続制御を行ないながらサービスを提供することを可能としたＧＷアーキテクチャを特徴とする。
【０００９】
【発明の実施の形態】
次に、本発明の実施の形態について図面を参照して詳細に説明する。
【００１０】
図１は、本発明の一実施の形態によるメディアゲートウェイ装置を適用したネットワークの構成を示す図である。
【００１１】
図１に示すように、本実施の形態によるメディアゲートウェイ装置（以下「ＭＧＷ」とも言う）１５は、ＢＬＥＳ（Ｂｒｏａｄｂａｎｄ  Ｌｏｏｐ  Ｅｍｕｌａｔｉｏｎ  Ｓｅｒｖｉｃｅ）やＨ．３２３サービス用にＶｏｉｃｅ  ｏｖｅｒＡＴＭやＩＰＯＡ（Ｉｎｔｅｒｎｅｔ  Ｐｒｏｔｏｃｏｌ  Ｏｖｅｒ  ＡＴＭ）などのプロトコルスタックで構成される網１２とＩＰ網１３との間に設けられ、ＢＬＥＳやＩＰＯＡなどのプロトコルスタックで転送されてくる音声接続サービスをＩＰ網１３へ収容するためのメディア変換を行う。このメディア変換では、Ｇ．７１１からＧ．７２６等への変換やプロトコル変換を行う。
【００１２】
なお、この実施の形態においては、ＭＧＣ／ＣＡ（メディアゲートウェイコントローラ／コールエージェント）１４は、ＩＰ網１３に設けられている。ここで、ＣＡはソフトスイッチとも呼ばれ、電話番号とＩＰアドレスのアドレス解決の処理を行う。
【００１３】
図２は、図１に示したメディアゲートウェイ装置１５の構成を示すブロック図である。
【００１４】
メディアゲートウェイ装置１５は、図２に示すように、複数の回線インタフェース２０とスイッチ（Ｌ２又は、Ｌ３相当）２１と複数のメディアゲートウェイカード２２とを有して構成される。
【００１５】
図２において、複数の回線インタフェース２０は、それぞれごとに、ＡＴＭ、ＬＡＮ、ＰＯＳなどのいろいろな種類の回線を収容することができる。
【００１６】
また、図２において、複数のメディアゲートウェイカード２２のそれぞれは、シグナリング終端／メディア変換機能を有する。
【００１７】
図３は、図２に示したメディアゲートウェイカード２２の構成を示すブロック図である。
【００１８】
メディアゲートウェイカード２２は、図３に示すように、スイッチインタフェース２５とパケット処理２６とメディア処理２７とを有して構成される。
【００１９】
図１に示したＢＬＥＳ／Ｈ．３２３側の端末から発呼があると、メディアゲートウェイ装置１５は、受信したパケットを回線インタフェース２０で該当するメディアゲートウエイカード２２向けに選択し、スイッチ２１で該当するメディアゲートウエイカード２２向けに転送して、該当するメディアゲートウエイカード２２にてメディアサービスのシグナリング手順に基づいてシグナリングパケットをＩＰ網１３に転送する。
【００２０】
この場合は、ＩＰパケット化でＭＧＣ１４へ転送し、ＢＬＥＳ側に転送する場合は、ＢＬＥＳサービスのシグナリングに基づき、ＡＴＭセル化して転送する手段を持つ。
【００２１】
セッションを確立した後は、セルで到着したメディアをメディアゲートウエイカード２２内で変換が必要な場合は変換処理が実行され、変換が必要でない場合は、変換処理は実行されなくてもよい。この変換されたメディアは、同じメディアゲートウエイカード２２内でＩＰパケット化して着信側のＭＧＷへ転送されることになる。
【００２２】
ここで、本実施の形態の動作についてさらに説明する。
【００２３】
このメディアゲートウェイ装置１５のアーキテクチャでは、回線インタフェース２０と、回線インタフェース２０とメディアゲートウエイカード２２との間を接続するスイッチ２１と、各種メディアを処理を行うメディアゲートウエイカード２２とで構成されており、メディアゲートウエイカード２２が複数枚実装できるので同一メディアゲートウェイ装置内で仮想的にメディアゲートウエイがスケーラブルに実現できることを特徴としている。また、ＩＰ網１３内でシグナリングを処理するＭＧＣ１４と連動してＢＬＥＳサービス／Ｈ．３２３サービスを提供することができる。
【００２４】
図４は、本発明の別の実施の形態によるメディアゲートウェイ装置の構成を示すブロック図である。
【００２５】
図４において、図２と同じ構成部分には同じ参照番号を付し、詳しい説明は省略する。
【００２６】
この実施の形態のメディアゲートウェイ装置３０は、図４に示すように、複数の回線インタフェース２０とスイッチ２１と複数のメディアゲートウェイカード２２とＣＰＵ３１とを有して構成される。ＣＰＵ３１は、ＭＧＣ機能を有する。
【００２７】
このような構成にすることによって、本実施の形態では、メディアゲートウェイ装置３０内に、ＩＰ網内でメディアゲートウェイ装置３０配下にある電話番号等をＩＰ網で認識できるＩＰアドレスに対応するＭＧＣ機能を有し、他の装置に依存しない処理を行うことができる。
【００２８】
【発明の効果】
以上説明したように、本発明によれば、ＮＮＩ−ＲＡＳやＶｏＩＰ以外にも対応することが可能なメディアゲートウェイ装置を提供することを目的とする。
【００２９】
また、本発明によれば、メディアゲートウエイカードをスケーラブルに複数枚実装できるアーキテクチャにより、仮想的にＭＧＷを装置内に複数個実現でき、従来の電話だけでなく、Ｈ．３２３などのメディアを処理することを可能にする。
【図面の簡単な説明】
【図１】本発明の一実施の形態によるメディアゲートウェイ装置を適用したネットワークの構成を示す図である。
【図２】図１に示したメディアゲートウェイ装置の構成を示すブロック図である。
【図３】図２に示したメディアゲートウェイカードの構成を示すブロック図である。
【図４】本発明の別の実施の形態によるメディアゲートウェイ装置の構成を示すブロック図である。
【図５】特開平１１−３３１２７１号公報に開示された従来のメディアゲートウェイ装置を示すブロック図である。
【符号の説明】
１  電話回線
２  網インタフェース部
３  レイヤ３制御部
４  データ識別部
５  着番号処理部
６  着番号データ部
７  インターネットインタフェース部
８  認証処理部
９  相手番号処理部
１０  インターネット網
１１  インターネット電話ゲートウェイ装置
１２  ＢＬＥＳ／Ｈ．３２３網
１３  ＩＰ網
１４  ＭＧＣ／ＣＡ
１５  ＭＧＷ
２０  回線インタフェース
２１  スイッチ
２２  メディアゲートウェイカード
２５  スイッチインタフェース
２６  パケット処理
２７  メディア処理
３０  メディアゲートウェイ装置
３１  ＣＰＵ
【図１】
0004159275.tif 000002
【図２】
0004159275.tif 000003
【図３】
0004159275.tif 000004
【図４】
0004159275.tif 000005
【図５】
0004159275.tif 000006